【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
調節可能レーキステアリングコラムアセンブリであって、
ａ．ステアリングコラム取付構造と、
ｂ．ステアリングシャフトを有する内側コラムチューブを担持するようになっており、開口部を備えた壁を有し、かつ前記取付構造に対してほぼ上向き及び下向きピボット運動を提供するためにその長さに沿って定位置に固定され、長手方向軸線を有するコラムハウジングと、
ｃ．ネジ切りシャンク部分及び歯車部分を有し、かつ長手方向軸線を有するチルトスクリューと、
ｄ．少なくとも部分的に前記コラムハウジング壁開口部内に位置決めされたチルトナットであって、該チルトナットが、外面を備えた本体と、該チルトナットの少なくとも一部分の周りに配置された任意的ブッシングとを有し、該外面又は該任意的ブッシングが、該コラムハウジング壁開口部を定める面と接触し、該チルトナットが、それを通るネジ切りボアであって、前記チルトスクリューを螺合的係合で受け入れるようになった前記ネジ切りボアを含み、該チルトナット又は該任意的ブッシングと該コラムハウジング壁開口部との間の接触が、該コラムハウジング壁開口部から該チルトナット及び／又は該任意的ブッシングに伝達される負荷が該ネジ切りボアと実質的に同軸上であるようなものである前記チルトナットと、
ｅ．前記コラムハウジングを上昇及び下降させるようになっており、前記チルトスクリューの前記歯車部分を作動的に回転させ、かつ前記チルトナットを該歯車部分に向けて前進させるか又は該歯車部分から離して引き出すように構成された少なくとも１つのモータと、
を含み、
前記チルトナットが、前記歯車部分に向けて前進されるか又は該歯車部分から離れて引き出される時に、前記コラムハウジング内の前記チルトナット及び任意的ブッシングの位置が、該コラムハウジングを前記取付構造に対して上昇又は下降させ、
前記チルトナット本体又は前記任意的ブッシングの前記外面が前記壁開口部の前記面に接触する結果として、前記チルトスクリューの前記ネジ切りシャンク部分の前記長手方向軸線は、前記コラムハウジングが上昇又は下降する時にほぼ該コラムハウジングに対して前方又は後方にピボット回転することができる、
ことを特徴とするアセンブリ
【請求項２】
アセンブリが、前記チルトナットの少なくとも一部分の周りに前記ブッシングを含み、
前記チルトナットは、前記ブッシングに接触し、該ブッシングは、前記コラムハウジング壁開口部を定める面に接触する、
請求項１に記載の調節可能レーキステアリングコラムアセンブリ。
【請求項３】
前記ステアリングコラム取付構造は、自動車内に不動に固定されるようになった上側部分を有する、
請求項１又は２に記載の調節可能レーキステアリングコラムアセンブリ。
【請求項４】
前記ステアリングコラム取付構造は、長手方向軸線を有して前記チルトスクリューにそれを通してアクセスすることができる開口部が定められた上側部分を含み、該チルトスクリューの前記長手方向軸線は、該上側部分の該長手方向軸線に対して非平行であるが、約±１０°の範囲にわたってピボット可能である、
請求項１から３のいずれか１項に記載の調節可能レーキステアリングコラムアセンブリ。
【請求項５】
前記コラムハウジング壁開口部は、前記コラムハウジングの前記長手方向軸線の横断方向に配置される、
請求項１から４のいずれか１項に記載の調節可能レーキステアリングコラムアセンブリ。
【請求項６】
（ａ）前記コラムハウジング壁開口部の少なくとも最大幅が、前記チルトナットおよび／又はブッシングの最大幅を超える、（ｂ）該コラムハウジング壁開口部の最大高さが、該チルトナットおよび／又はブッシングの最大高さを近似する、又は、(ａ)かつ(ｂ)であるように、該コラムハウジング壁開口部は、最大高さ及び最大幅を有し、該チルトナットおよび／又はブッシングは、最大高さ及び最大幅を有する、
請求項１から５のいずれか１項に記載の調節可能レーキステアリングコラムアセンブリ。
【請求項７】
前記コラムハウジング壁開口部及び前記チルトナットは、該チルトナットの前記本体と該コラムハウジング壁開口部を定める前記コラムハウジングの前記面との間に線接触を与えるように構成され、それによってほぼ垂直方向のラッシュに抵抗すると同時に、依然として該コラムハウジングが作動移動の全範囲を通して異なるレーキ位置の間で自由に回転することを可能にする、
請求項１から６のいずれか１項に記載の調節可能レーキステアリングコラムアセンブリ。
【請求項８】
前記コラムハウジング壁開口部及び前記ブッシングは、該ブッシングと該コラムハウジング壁開口部を定める前記コラムハウジングの前記面との間に線又は平面接触を与えるように構成され、それによってほぼ垂直方向のラッシュに抵抗すると同時に、依然として該コラムハウジングが作動移動の全範囲を通して異なるレーキ位置の間で自由に回転することを可能にする、
請求項１から７のいずれか１項に記載の調節可能レーキステアリングコラムアセンブリ。
【請求項９】
前記チルトナットは、ほぼ平坦な前壁と、ほぼ反対側の平坦な後壁と、該前壁を該後壁に接続する丸い部分を有する側壁と、該側壁と交差して該前壁及び該後壁とほぼ平行である長手方向軸線を有するネジ切りボアとを有する、
請求項１から８のいずれか１項に記載の調節可能レーキステアリングコラムアセンブリ。
【請求項１０】
前記内側コラムチューブ、ステアリングシャフト、又はその両方を前方又は後方方向に選択的に前進させるようになった伸縮サブアセンブリを含む、
請求項１から９のいずれか１項に記載の調節可能レーキステアリングコラムアセンブリ。
【請求項１１】
調節可能レーキステアリングコラムアセンブリであって、
ａ．ステアリングコラム取付構造と、
ｂ．ステアリングシャフトを有する内側コラムチューブを担持するようになっており、開口部を備えた壁を有し、かつ前記取付構造に対してほぼ上向き及び下向きピボット運動を提供するためにその長さに沿って定位置に固定され、長手方向軸線を有するコラムハウジングと、
ｃ．長手方向軸線と係合要素とを有する細長起動可能部材と、
ｄ．少なくとも部分的に前記コラムハウジング壁開口部内に位置決めされ、前記コラムハウジング壁開口部を定める面と接触する外面を備えた本体を有し、それを通るボアであって、前記細長起動可能部材を少なくとも部分的に取り囲んで該細長起動可能部材と選択的に係合するようになった上記ボアを有する位置固定部材であって、該位置固定部材と該コラムハウジング壁開口部の間の接触が、該コラムハウジング壁開口部から該細長起動可能部材に伝達される負荷が該ボアと実質的に同軸上であるようなものである前記位置固定部材と、
ｅ．前記コラムハウジングを上昇及び下降させるようになっており、駆動シャフトによって前記細長起動可能部材に結合され、かつ該細長起動可能部材を作動的に回転させて前記位置固定部材を該細長起動可能部材に沿って上向き又は下向きに前進させるように構成された少なくとも１つのモータと、有し、
前記位置固定部材が前記細長起動可能部材に沿って上向き又は下向きに前進する時に、前記コラムハウジング内の該位置固定部材の位置が、該コラムハウジングを前記取付構造に対して上昇又は下降させ、
前記位置固定部材本体の前記外面が前記壁開口部の前記面に接触する結果として、前記細長起動可能部材の前記長手方向軸線は、前記コラムハウジングが上昇又は下降する時にほぼ該コラムハウジングに対して前方又は後方にピボット回転することができる、
ことを特徴とするアセンブリ。
【請求項１２】
前記ステアリングコラム取付構造は、長手方向軸線を有して前記細長起動可能部材にそれを通してアクセスすることができる開口部が定められた上側部分を含み、該細長起動可能部材の前記長手方向軸線は、該上側部分の該長手方向軸線に対して非平行であるが、約±１０°の範囲にわたってピボット可能である、
請求項１１に記載の調節可能レーキステアリングコラムアセンブリ。
【請求項１３】
前記コラムハウジング壁開口部は、前記コラムハウジングの前記長手方向軸線の横断方向に配置される、
請求項１１または１２に記載の調節可能レーキステアリングコラムアセンブリ。
【請求項１４】
（ａ）前記コラムハウジング壁開口部の少なくとも最大幅が、前記位置固定部材の最大幅を超える、（ｂ）該コラムハウジング壁開口部の最大高さが、該位置固定部材の最大高さを近似する、または（ａ）かつ（ｂ）であるように、該コラムハウジング壁開口部は、最大高さ及び最大幅を有し、該位置固定部材は、最大高さ及び最大幅を有する、
請求項１１から１３のいずれか１項に記載の調節可能レーキステアリングコラムアセンブリ。
【請求項１５】
前記コラムハウジング壁開口部及び前記位置固定部材は、該位置固定部材の前記本体と該コラムハウジング壁開口部を定める前記コラムハウジングの前記面との間に線接触を与えるように構成され、それによってほぼ垂直方向のラッシュに抵抗すると同時に、依然として該コラムハウジングが作動移動の全範囲を通して異なるレーキ位置の間で自由に回転することを可能にする、
請求項１１から１４のいずれか１項に記載の調節可能レーキステアリングコラムアセンブリ。
【請求項１６】
前記位置固定部材は、ほぼ平坦な前壁と、ほぼ反対側の平坦な後壁と、該前壁を該後壁に接続する丸い部分を有する側壁と、該側壁と交差して該前壁及び該後壁とほぼ平行である長手方向軸線を有するボアとを有する、
請求項１１から１５のいずれか１項に記載の調節可能レーキステアリングコラムアセンブリ。
【請求項１７】
前記位置固定部材は、ほぼ平坦な前壁及びほぼ反対側の平坦な後壁と該前壁を該後壁に接続する複数の側壁とを有するナットと、該前壁及び該後壁とほぼ平行である長手方向軸線を有するボアと、該ナットの該複数の側壁の少なくとも一部分と接触するようになった該ナットの周囲のブッシングとを有している、
請求項１１から１５のいずれか１項に記載の調節可能レーキステアリングコラムアセンブリ。
【請求項１８】
前記少なくとも１つのモータは、前記コラムハウジングの前記長手方向軸線とほぼ平行に向けられた長手方向軸線を有して前記細長起動可能部材を回転させて前記位置固定部材を該細長起動可能部材に沿って移動させることによって前記取付構造に対して該コラムハウジングを上昇及び下降させるために該細長起動可能部材の前記歯車部分に係合する外部に突出する細長駆動シャフトを有している、
ことを特徴とする請求項１１から１７のいずれか１項に記載の調節可能レーキステアリングコラムアセンブリ。
【請求項１９】
前記少なくとも１つのモータは、歯車箱内の歯車減速機を起動し、
前記駆動シャフトは、前記歯車減速機から前記細長起動可能部材にトルクを伝達し、
前記駆動シャフトは、前記細長起動可能部材を回転して前記位置固定部材を該細長起動可能部材に沿って移動させ、それによって前記コラムハウジングを前記取付構造に対して上昇及び下降させるために該細長起動可能部材の前記係合要素に係合する、
請求項１１から１８のいずれか１項に記載の調節可能レーキステアリングコラムアセンブリ。
【請求項２０】
前記内側コラムチューブ、ステアリングシャフト、又はその両方を前方又は後方方向に選択的に前進させるようになった伸縮サブアセンブリを有している、
請求項１１から１９のいずれか１項に記載の調節可能レーキステアリングコラムアセンブリ。